(57)【要約】【課題】複数の人の各々が快適と感じる居住空間を得る。【解決手段】寝室１０には、壁１８側にベッド４２Ｌの使用者を輻射熱により温調する輻射装置７０Ｌの輻射パネル７２が設けられ、壁１８に対向する壁２０側にベッド４２Ｒの使用者を温調する輻射装置７０Ｒの輻射パネル７２が設けられている。また、寝室には、空調装置６４の吹き出し口６６として、壁１４においてベッド４２Ｌの中心とベッド４２Ｒの中心との間となる位置で、輻射装置７０Ｌの輻射パネルよるベッド４２Ｌの受熱量に対する受熱量の比が０．２となる位置に吹き出し口６６Ｌが設けられ、輻射装置７０Ｒの輻射パネルよるベッド４２Ｒの受熱量に対する受熱量の比が０．２となる位置に吹き出し口６６Ｒが設けられている。【選択図】図１
2017116236.tif 000002
【特許請求の範囲】
【請求項１】
居室の互いに対向された壁の一方の壁側に設けられ、第１の対象位置を輻射熱により温調する第１の輻射温調手段と、
前記居室の互いに対向された壁の他方の壁側に設けられ、該壁と前記第１の対象位置との間の第２の対象位置を輻射熱により温調する第２の輻射温調手段と、
前記第１の対象位置と前記第２の対象位置との間の壁、床又は天井で、前記第１の輻射温調手段による前記第１の対象位置の受熱量に対する受熱量の比が０．２以下、及び前記第２の輻射温調手段による前記第２の対象位置の受熱量に対する受熱量の比が０．２以下となる位置に吹き出し口が設けられ、該吹き出し口から吹き出す空調風により前記居室内を温調する空調手段と、
を備えた建物。
【請求項２】
前記第２の対象位置が、前記第１の輻射温調手段による前記第１の対象位置の受熱量に対する受熱量の比が、０．２以下となる位置とされ、
前記第１の対象位置が、前記第２の輻射温調手段による前記第２の対象位置の受熱量に対する受熱量の比が、０．２以下とされた請求項１記載の建物。
【請求項３】
前記第１の対象位置に第１のベッドが配置され、前記第２の対象位置に第２のベッドが配置された請求項１又は請求項２記載の建物。
【請求項４】
請求項３記載の建物に設けられた住環境システムであって、
前記第１のベッドで就寝する使用者の就寝及び就寝時の睡眠状態を検出する第１の睡眠検出手段と、
前記第２のベッドで就寝する使用者の就寝及び就寝時の睡眠状態を検出する第２の睡眠検出手段と、
前記第１の睡眠検出手段により検出される睡眠状態に応じて前記第１の輻射温調手段を制御すると共に、前記第２の睡眠検出手段により検出される睡眠状態に応じて前記第２の輻射温調手段を制御する制御手段と、
を含む住環境システム。
【請求項５】
前記居室内の前記第１のベッド側を照明する第１の照明手段と、
前記居室内の前記第２のベッド側を照明する第２の照明手段と、
を含み、前記制御手段が、
前記第２の睡眠検出手段により前記第２のベッドでの就寝が検出されているか否か、及び前記第１の睡眠検出手段により検出される睡眠状態に応じて前記第１の照明手段による明るさを制御し、
前記第１の睡眠検出手段により前記第１のベッドでの就寝が検出されているか否か、及び前記第２の睡眠検出手段により検出される睡眠状態に応じて前記第２の照明手段による明るさを制御する、請求項４記載の住環境システム。
【請求項６】
前記制御手段が、前記第１の照明手段及び前記第２の照明手段の色温度を制御することを含む請求項５記載の住環境システム。
【発明の詳細な説明】
【技術分野】
【０００１】
本発明は、建物、及び建物内の住環境システムに関する。
【背景技術】
【０００２】
建物の室内の温調には、エアコン等の空調装置、伝導熱や輻射熱を用いた温調装置に加え、各種の暖房装置が用いられる。また、室内の温調には、複数の空調装置又は空調装置と暖房装置が用いられることがある。
【０００３】
例えば、特許文献１では、空調装置と電気カーペットなどの暖房装置とを併用して居室内を暖房する際、エネルギー消費を抑えて快適な暖房感が得られるように提案している。この提案では、空調装置により制御される室温の各温度と、暖房装置により制御される各温度との間で、快適となる点を実験的に求めて、快適温度曲線を求めると共に、快適温度曲線上の各点について、空調装置と暖房装置との総合消費電力が最も少ないエネルギーポイントを求めておき、空調装置及び暖房装置の各々が、エネルギーポイントに対応する設定温度で動作するようにしている。
【先行技術文献】
【特許文献】
【０００４】
【特許文献１】特開平０６−０８２０５２号公報
【発明の概要】
【発明が解決しようとする課題】
【０００５】
ところで、快適に感じる温度（室温）には、個人差があり、２人のうちの一方の人には快適と感じる室温であっても、他方の人には、暖房又は冷房の不足感や効き過ぎ感など、不快となる程ではないが、必ずしも快適に感じられない場合がある。
【０００６】
本発明は上記事実に鑑みてなされたものであり、複数の人の各々が快適と感じる居住空間が得られる建物、及び住環境システムを提供することを目的とする。
【課題を解決するための手段】
【０００７】
上記目的を達成するための第１の態様は、居室の互いに対向された壁の一方の壁側に設けられ、第１の対象位置を輻射熱により温調する第１の輻射温調手段と、前記居室の互いに対向された壁の他方の壁側に設けられ、該壁と前記第１の対象位置との間の第２の対象位置を輻射熱により温調する第２の輻射温調手段と、前記第１の対象位置と前記第２の対象位置との間の壁、床又は天井で、前記第１の輻射温調手段による前記第１の対象位置の受熱量に対する受熱量の比が０．２以下、及び前記第２の輻射温調手段による前記第２の対象位置の受熱量に対する受熱量の比が０．２以下となる位置に吹き出し口が設けられ、該吹き出し口から吹き出す空調風により前記居室内を温調する空調手段と、を備えている。
【０００８】
第１の態様によれば、第１及び第２の輻射温調手段の輻射熱が、空調風の温度に影響するのが抑制される。また、第１の態様によれば、吹き出し口から吹き出される空調風が、第１の輻射温調手段による第１の対象位置の受熱量、及び第２の輻射温調手段による第２の対象位置の受熱量に影響するのが抑制される。
【０００９】
第２の態様は、前記第２の対象位置が、前記第１の輻射温調手段による前記第１の対象位置の受熱量に対する受熱量の比が、０．２以下となる位置とされ、前記第１の対象位置が、前記第２の輻射温調手段による前記第２の対象位置の受熱量に対する受熱量の比が、０．２以下とされている。
【００１０】
第２の態様によれば、第１の輻射温調手段の輻射熱が第２の対象位置の温調状態に影響を及ぼすのが抑制され、第２の輻射温調手段の輻射熱が第１の対象位置の温調状態に影響を及ぼすのが抑制される。
【００１１】
第３の態様は、前記第１の対象位置に第１のベッドが配置され、前記第２の対象位置に第２のベッドが配置されている。
【００１２】
第３の態様によれば、第１のベッドに就寝する使用者を第１の輻射温調手段により温調し、第２のベッドに就寝する使用者を第２の輻射温調手段による温調するので、各々の使用者が快適な睡眠状態となるように温調される。
【００１３】
第４の態様は、前記第１のベッドで就寝する使用者の就寝及び就寝時の睡眠状態を検出する第１の睡眠検出手段と、前記第２のベッドで就寝する使用者の就寝及び就寝時の睡眠状態を検出する第２の睡眠検出手段と、前記第１の睡眠検出手段により検出される睡眠状態に応じて前記第１の輻射温調手段を制御すると共に、前記第２の睡眠検出手段により検出される睡眠状態に応じて前記第２の輻射温調手段を制御する制御手段と、を含む。
【００１４】
第４の態様によれば、第１及び第２の輻射温調手段により、第１のベッド及び第２のベッドに就寝する使用者の各々を快適な睡眠状態が得られるように温調することができる。
【００１５】
第５の態様は、前記居室内の前記第１のベッド側を照明する第１の照明手段と、前記居室内の前記第２のベッド側を照明する第２の照明手段と、を含み、前記制御手段が、前記第２の睡眠検出手段により前記第２のベッドでの就寝が検出されているか否か、及び前記第１の睡眠検出手段により検出される睡眠状態に応じて前記第１の照明手段による明るさを制御し、前記第１の睡眠検出手段により前記第１のベッドでの就寝が検出されているか否か、及び前記第２の睡眠検出手段により検出される睡眠状態に応じて前記第２の照明手段による明るさを制御する。
【００１６】
第５の態様によれば、第１及び第２のベッドの一方に使用者が就寝しているか否かに基づき、第１及び第２のベッドの他方の使用者の睡眠状態に応じて照明を制御するので、双方の使用者を快適な睡眠状態となるように照明することができる。
【００１７】
第６の態様は、前記制御手段が、前記第１の照明手段及び前記第２の照明手段の色温度を制御することを含む。
【００１８】
第６の態様によれば、照明の色温度に応じて睡眠の促進、覚醒の促進を図ることができる。
【発明の効果】
【００１９】
以上説明したように本発明によれば、空調手段、第１の輻射温調手段、及び第２の輻射温調手段により、居室内の第１の対象位置及び第２の対象位置の各々において快適な温調状態とすることができる、という効果が得られる。
【図面の簡単な説明】
【００２０】
【図１】本実施の形態に係る建物内の寝室の一例を示す平面図である。
【図２】（Ａ）及び（Ｂ）は寝室の壁面を示す側面図であり、（Ａ）は輻射パネルが設けられた一方の壁の壁面を示し、（Ｂ）は吹き出し口が設けられた壁の壁面を示している。
【図３】本実施の形態に係る住環境システムを示すブロック図である。
【図４】寝室のレイアウトの概略を示す平面図である。
【図５】（Ａ）は２人用制御テーブルの一例を示す図表、（Ｂ）は１人用制御テーブルの一例を示す図表である。
【図６】睡眠環境制御の一例を示す流れ図である。
【図７】寝室の他の一例を示す平面図である。
【発明を実施するための形態】
【００２１】
以下に図面を参照しながら本発明の実施の形態を説明する。図１、図２（Ａ）及び図２（Ｂ）には、本実施の形態に係る建物内の居室の一例を示している。本実施の形態では、居室の一例として建物の居住者が就寝に使用する寝室を適用している（以下、寝室１０と言う）。また、図３には、本実施の形態において、寝室１０に設けた住環境システム１２の概略構成を示している。なお、以下では、居住者を使用者として表記する。また、以下では、寝室１０における矢印Ｗ方向に沿う方向を間口、矢印Ｄ方向に沿う方向を奥行、及び矢印Ｈ方向に沿う方向を高さとして説明する。
【００２２】
図１に示すように、寝室１０は、周囲が壁１４、１６、１８、２０によって囲われ、下面が床２２とされ、上面が天井２４（図２（Ａ）及び図２（Ｂ）参照）とされている。なお、寝室１０は、一例として壁１６、１８が屋外側となっており、また、壁１４が図示しない廊下側なっている。
【００２３】
寝室１０には、壁１４の中間部に小壁２６が形成され、小壁２６の上部が壁１６へ延長されて下がり壁２８が形成されている。また、寝室１０には、下がり壁２８を挟んで、壁１８側及び壁２０側の各々に、下がり天井３０が形成されている。これにより、本実施の形態では、一例として、寝室１０を、後述する照明空間としての図２の紙面左側の空間３２Ｌと、紙面右側の空間３２Ｒとに分けられている。
【００２４】
寝室１０は、壁１４に小壁２６を挟んだ２箇所に、引き戸などを用いた扉３４Ｌ、３４Ｒが設けられている。また、寝室１０の壁１６には、空間３２Ｌ側の中央部に窓３６Ｌが設けられ、空間３２Ｒ側の中央部に窓３６Ｒが設けられている。寝室１０は、窓３６Ｌ、３６Ｒにより採光が可能となっている。また、図１、図２（Ａ）、及び図２（Ｂ）に示すように、寝室１０には、壁１８の壁際及び壁２０の壁際に、所定高さの棚３８が配置され、壁１６の壁際に、所定高さの棚４０が配置されている。
【００２５】
図１及び図２（Ａ）に示すように、寝室１０には、使用者が就寝する第１及び第２のベッド（寝具）としての２台のベッド４２が設けられている。一方のベッド４２（以下４２Ｌと言う）は、空間３２Ｌ側に設けられ、他方のベッド４２（以下４２Ｒと言う）は、空間３２Ｒ側に設けられている。ベッド４２Ｌ、４２Ｒは、窓３６Ｌ、３６Ｒに対応され、ヘッドボード４４側が棚４０に接するように配置され、足元側が壁１４（扉３４Ｌ、３４Ｒ）へ向けられている。これにより、寝室１０は、２人の使用者が就寝可能となっている。
【００２６】
一方、寝室１０の使用者が快適な就寝状態が得られるか否かは、寝室１０の明るさ及び温度（以下、就寝環境とする）が影響する。図３に示す住環境システム１２は、就寝する使用者が快適な就寝環境が得られるように、採光、及び照明（以下、明るさ又は照明と言う）を制御する。また、住環境システム１２は、就寝する使用者が快適な就寝環境が得られるように、寝室１０内の温度等の空調状態（以下、温調とする）を制御する。即ち、本実施の形態では、寝室１０が快適な睡眠状態が得られるようにレイアウトされ、住環境システム１２が、寝室１０において快適な睡眠状態が得られように照明及び温調を制御する。
【００２７】
住環境システム１２は、コントローラ５０を備える。コントローラ５０は、ＣＰＵ、ＲＯＭ、ＲＡＭ、ＨＤＤ等を用いた不揮発性メモリ、及び入出力用のポートがバスによって接続された一般的構成のマイクロコンピュータを含んでいる（図示省略）。コントローラ５０は、ＣＰＵがＲＯＭ又はＨＤＤに記憶されたプログラムを読み出して、ＲＡＭに展開して実行することで、寝室１０の照明及び温調を制御する。
【００２８】
住環境システム１２には、第１及び第２の睡眠検出手段としての睡眠センサ５２が設けられている。睡眠センサ５２は、ベッド４２Ｌの使用者の睡眠状態を検出する睡眠センサ５２Ｌ、及びベッド４２Ｒの使用者の睡眠状態を検出する睡眠センサ５２Ｒが用いられ、睡眠センサ５２Ｌ、５２Ｒがコントローラ５０に接続されている。
【００２９】
睡眠センサ５２（５２Ｌ、５２Ｒ）は、ベッド４２に就寝する使用者の睡眠の深さを検出し得るものであれば良い。例えば、睡眠センサ５２としては、ベッド４２の複数の脚に設けられて荷重又は圧力を検出する検出部を備え、使用者が睡眠状態に応じて変化する複数の脚に対する荷重或いは圧力を検出することで、使用者がベッド４２に入床しているか否か、及び入床した使用者の睡眠状態（睡眠の深さ）を判定して、判定した睡眠の深さに応じた信号を出力する。なお、本実施の形態では、一例として、「覚醒状態（覚醒）」、「睡眠が浅い（浅）」、「睡眠が深い（深）」、「眠りが最も深い（最深）」の４段階の睡眠状態が検出される。
【００３０】
コントローラ５０は、睡眠センサ５２Ｌ、５２Ｒの出力から、使用者がベッド４２Ｌ、４２Ｒに入床しているか否か、ベッド４２Ｌ、４２Ｒを使用している使用者の各々の睡眠状態を取得する。
【００３１】
図１に示すように、寝室１０には、照明装置５４が設けられている。照明装置５４は、一例として間接照明が適用され、主にベッド４２Ｌ側の空間３２Ｌを照明する照明装置５４Ｌと、主にベッド４２Ｒ側の空間３２Ｒを照明する照明装置５４Ｒとに分けられている。照明装置５４Ｌは、照明器具５６Ｌが空間３２Ｌ側の下がり天井３０の上面に配置され、例えば、空間３２Ｌ側の天井２４を照明することで、主に空間３２Ｌを照明する。照明装置５４Ｒは、照明器具５６Ｒが空間３２Ｒ側の下がり天井３０の上面に配置され、例えば、空間３２Ｒ側の天井２４を照明することで、主に空間３２Ｒを照明する。これにより、照明装置５４Ｌは、照明器具５６Ｌの明るさが空間３２Ｒの明るさに影響するのが抑えられ、照明装置５４Ｒは、照明器具５６Ｒの明るさが空間３２Ｌの明るさに影響するが抑えられている。
【００３２】
また、照明器具５６Ｌ、５６Ｒは、光源として電球及び蛍光灯を用いても良いが、一例として、ＬＥＤ光源が用いられ、明るさ及び光源の色温度（色）の調整が可能となっている。
【００３３】
図３に示すように、照明装置５４Ｌ、５４Ｒは、コントローラ５０に接続されている。コントローラ５０は、睡眠センサ５２Ｌ、５２Ｒにより検出されるベッド４２Ｌ、４２Ｒの使用者の睡眠状態に応じ、照明装置５４Ｌの照明器具５６Ｌ、及び照明装置５４Ｒの照明器具５６Ｌの点灯／消灯、点灯時の明るさ及び色（色温度）を個別に制御する。なお、図１に示すように、寝室１０には、壁１８際、及び壁２０際の棚３８の各々の下面側に足元照明とする照明器具５８Ｌ、５８Ｒが配置されている。この照明器具５８Ｌ、５８Ｒは、コントローラ５０により制御されても良いが、本実施の形態では、ベッド４２Ｌ、４２Ｒのヘッドボード４４の近傍に設けている図示しないスイッチを操作により点灯／消灯されるようにしている。
【００３４】
図３に示すように、コントローラ５０には、遮光装置６０Ｌ、６０Ｒが接続されている。図１に示すように、寝室１０の窓３６Ｌ、３６Ｒには、開口を覆って遮光するカーテン６２（又はブラインドであっても良い）が設けられている。遮光装置６０Ｌは、窓３６Ｌのカーテン６２を引くことで、遮光状態と採光状態とを切り換え、遮光装置６０Ｒは、窓３６Ｒのカーテン６２を引くことで、遮光状態と採光状態とを切り換える。
【００３５】
図３に示すコントローラ５０は、睡眠センサ５２Ｌ、５２Ｒにより検出される使用者の睡眠状態に応じて遮光装置６０Ｌ、６０Ｌの作動を制御することで、カーテン６２を開閉し遮光状態と採光状態と切り換える。
【００３６】
また、コントローラ５０には、起床時刻設定手段としての目覚ましタイマ４８が接続されている。目覚ましタイマ４８は、ベッド４２Ｌ側の目覚ましタイマ４８Ｌ及びベッド４２Ｒ側の目覚ましタイマ４８Ｒを備える。目覚ましタイマ４８（４８Ｌ、４８Ｒ）は、例えば、ベッド４２のヘッドボード４４の近傍に設けられ、時刻の表示、及びベッド４２の使用者ごとに起床時刻等の設定が可能となっていると共に、主にベッド４２の使用者に目覚まし音が聞こえるように設けられている。
【００３７】
コントローラ５０は、目覚ましタイマ４８Ｌ、４８Ｒの各々で起床時刻の設定がなされていると、設定された起床時刻に目覚まし音などを発するように目覚ましタイマ４８Ｌ、４８Ｒを制御する。また、コントローラ５０は、目覚ましタイマ４８Ｌ、４８Ｒで設定された起床時刻に基づいて、照明及び後述する温調を制御する。
【００３８】
一方、住環境システム１２が設けられた建物には、空調装置の一例として、全館空調装置（以下、空調装置６４という。図３参照）が設置されている。空調装置６４は、予め設定された温度の空調風を生成し、建物の居室、廊下、浴室などの各々に設けられている吹き出し口から空調風を吹き出すことで、建物内部の全域を予め定められた温度に温調すると共に、温調状態を維持するように動作する。
【００３９】
図１、図２（Ａ）及び図２（Ｂ）に示すように、寝室１０には、空調装置６４により温調された空調風を吹き出す吹き出し口６６が設けられている。吹き出し口６６は、壁１４の扉３４Ｌと天井２４との間に設けられた吹き出し口６６Ｌ、及び壁１４の扉３４Ｒと天井２４との間に設けられた吹き出し口６６Ｒにより形成されている。
【００４０】
図３に示すうように、コントローラ５０には、空調装置６４が接続されている。コントローラ５０は、吹き出し口６６Ｌ、６６Ｒから吹き出す空調風の風量を、例えば、強、中、及び弱の３段階に制御する。寝室１０は、吹き出し口６６Ｌから吹き出される空調風により主に空間３２Ｌ側が温調され、吹き出し口６６Ｒから吹き出される空調風により主に空間３２Ｒ側が温調されることで、全域が均一な温度に維持される。なお、寝室１０には、例えば、床２２に換気口６８Ｌ、６８Ｒが設けられ、寝室１０内の換気が可能となっている。
【００４１】
ところで、快適と感じる温調状態（温度）は、人によって異なり、一人か快適と感じる温度であっても、他の人にとっては暖房不足又は冷房不足などの不足感が生じたり、暖房又は冷房の効き過ぎ感が生じたりすることがある。
【００４２】
ここから、図１、図２（Ａ）及び図２（Ｂ）に示すように、本実施の形態に係る寝室１０には、空調装置６４と異なる第１及び第２の輻射温調手段としての輻射装置７０が設けられている。本実施の形態では、輻射装置７０として、ベッド４２Ｌに対応された輻射装置７０Ｌ、及びベッド４２Ｒに対応された輻射装置７０Ｒを設けている。
【００４３】
輻射装置７０Ｌ、７０Ｒは、一つ又は複数の輻射パネル７２を備える。本実施の形態では、一例として、輻射装置７０Ｌ、７０Ｒの各々が３台の輻射パネル７２を備えている。輻射装置７０Ｌは、壁１８に３台の輻射パネル７２が配置され、輻射装置７０Ｒは、壁２０に３台の輻射パネル７２は配置されている。図２（Ａ）に示すように、輻射パネル７２の各々は、一例として、棚３８上に配置され、下端がベッド４２よりも僅かに高く、且つ上端が吹き出し口６６よりも低くなるように設置されている。なお、３台の輻射パネル７２を区別する場合、壁１６側から順に輻射パネル７２Ａ、７２Ｂ、７２Ｃと言う。輻射パネル７２Ａ〜７２Ｃは、輻射パネル７２Ｂが壁１８、２０の奥行き方向中央部に配置され、輻射パネル７２Ａが壁１６側に配置され、輻射パネル７２Ｃが壁１４側に配置されている。
【００４４】
輻射パネル７２は、内部に冷媒の循環路が設けられており、図示しない装置本体で温調された冷媒が循環路を流れることで、冷媒から発せられる輻射熱（温熱又は冷熱）がグリル７４の全面から放出される。輻射装置７０は、輻射パネル７２のグリル７４から放出された輻射熱が人や寝具に当てて、人や寝具を直接的に温調（冷房又は暖房）する。
【００４５】
輻射装置７０Ｌ、７０Ｒは、ベッド４２の寝具の位置又は使用者の位置などの予め設定対象位置において、予め設定された温度（以下、設定温度とする）となるように輻射パネル７２から輻射熱を放出するように動作する。また、輻射装置７０Ｌ、７０Ｒの各々は、輻射パネル７２から放出する輻射熱の強さ（又は量）が、例えば、高、中、及び弱の３段階に切換可能となっている。さらに、輻射装置７０Ｌ、７０Ｒは、複数の輻射パネル７２を個別に動作可能となっている。なお、輻射装置７０Ｌ、７０Ｒは、３台の輻射パネル７２Ａ〜７２Ｃの設定温度及び強さが個別に設定されるものであっても良いが、本実施の形態では、説明を簡略化するために、３台の輻射パネル７２Ａ〜７２Ｃの各々を動作させる場合、同じ設定温度及び強さで動作するものとしている。
【００４６】
図３に示すように、輻射装置７０Ｌ、７０Ｒは、コントローラ５０に接続されている。コントローラ５０は、輻射装置７０Ｌ、７０Ｒの輻射パネル７２ごとに動作及び停止を制御する。また、コントローラ５０は、睡眠センサ５２Ｌにより検出されるベッド４２Ｌの使用者の睡眠状態に応じて、輻射装置７０Ｌの輻射パネル７２の輻射熱の量を、高、中、弱の３段階で制御する。また、コントローラ５０は、睡眠センサ５２Ｒにより検出されるベッド４２Ｒの使用者の睡眠状態に応じ、輻射装置７０Ｒの輻射パネル７２の輻射熱の量を、高、中、低の３段階に制御する。なお、輻射装置７０Ｌ、７０Ｒの設定温度は、例えば、コントローラ５０に接続されている図示しない操作パネル上で設定されても良く、また、輻射装置７０Ｌ、７０Ｒの各々に設けている図示しない操作パネルで設定されても良い。
【００４７】
図１に示すように、本実施の形態では、輻射パネル７２Ａ、７２Ｂがベッド４２に対応され、輻射パネル７２Ｃがベッド４２よりも壁１４側に対応されている。輻射装置７０Ｌ、７０Ｒは、輻射パネル７２Ａ〜７２Ｃが動作することで、空間３２Ｌ、３２Ｒを略均一に温調可能となっている。また、コントローラ５０は、使用者の就寝中は、ベッド４２に対応する輻射パネル７２Ａ、７２Ｂを動作させ、ベッド４２から外れている輻射パネル７２Ｃの動作を停止させるように輻射装置７０Ｌ、７０Ｒを制御することで、省エネ効果が得られるようにしている。
【００４８】
一方、ベッド４２Ｌに対して設けている輻射装置７０Ｌの輻射パネル７２から放出された輻射熱が、ベッド４２Ｒ又はベッド４２Ｒの使用者に達することで、ベッド４２Ｒの使用者が輻射パネル７２から放出された輻射熱を受ける。また、輻射装置７０Ｒの輻射パネル７２から放出された輻射熱が、ベッド４２Ｌ又はベッド４２Ｌの使用者に達することで、ベッド４２Ｌの使用者が輻射パネル７２から放出された輻射熱を受ける。
【００４９】
さらに、輻射装置７０Ｌ、７０Ｒの輻射パネル７２から放出された輻射熱が、吹き出し口６６に達することで、吹き出し口６６から吹き出される空調風の温度、即ち、空間３２Ｌ、３２Ｒの温度（空調状態）に影響を及ぼす。これにより、例えば、使用者が就寝する際に、輻射装置７０Ｌ、７０Ｒを好みの設定温度に設定しているにも関わらず、温調の不足感や効き過ぎ感を生じさせてしまうことがある。
【００５０】
ここから、寝室１０は、輻射装置７０の輻射パネル７２から放出される輻射熱が、対象とする使用者以外に影響を与えてしまうのが抑制されるように、輻射パネル７２に対する温調の対象とするベッド４２Ｌ、４２Ｒの位置、吹き出し口６６Ｒ、６６Ｌの位置、及び輻射装置７０Ｌ、７０Ｒの輻射パネル７２（輻射パネル７２Ａ、７２Ｂ）の各々の位置が設定されている。なお、寝室１０では、小壁２６及び下がり壁２８の中心線を対称線として線対称となるようにレイアウトされており、以下では、空間３２Ｌ側を例に説明する。
【００５１】
図４に示すように、使用者が就寝する場合、ベッド４２Ｌの幅方向の中心位置ＢＣＬが輻射装置７０Ｌの対象位置となり、ベッド４２Ｒの幅方向の中心位置ＢＣＲが輻射装置７０Ｒの対象位置となる。ベッド４２Ｌの使用者が就寝する場合、コントローラ５０は、輻射装置７０Ｌにより、中心位置ＢＣＬにおいて設定温度が得られるように輻射パネル７２Ａ、７２Ｂを動作させる。また、ベッド４２Ｌの使用者が就寝する場合、コントローラ５０は、輻射装置７０Ｌにより、中心位置ＢＣＬにおいて設定温度が得られるように輻射パネル７２Ａ、７２Ｂを動作させる。
【００５２】
一般に、輻射熱の受熱量は、距離の二乗に反比例して減少する。即ち、図４に示すように、輻射パネル７２とベッド４２Ｌの中心位置ＢＣＬまでの最短距離を間隔ｘ１、輻射パネル７２とベッド４２Ｒの中心位置ＢＣＲまでの最短距離を間隔ｘ２とする（ｘ１＜ｘ２）。この場合、輻射パネル７２から放出された輻射熱のベッド４２Ｌでの受熱量に対するベッド４２Ｒの受熱量の比ａは、
ａ＝（ｘ１）２／（ｘ２）２
で表せる。
【００５３】
通常、設定温度は、使用者が快適と感じる温度Ｔｃに設定されるが、一般に、快適と感じる温度Ｔｃに対して温度差が５°Ｃ以上となると、暖房時には、暖房不足（Ｔｃ−５°Ｃ）又は暖房の効き過ぎ（Ｔｃ＋５°Ｃ）感が生じる。また、冷房時には、冷房不足（Ｔｃ＋５°Ｃ）又は冷房の効き過ぎ（Ｔｃ−５°Ｃ）感が生じる。しかし、温度Ｔｃに対して、温度差が１°Ｃ以内であれば、冷暖房の不足感、効き過ぎ感が生じるのが抑えられる。ここから、受熱量の比ａを、０．２以下（ａ≦０．２）とすることで、ベッド４２Ｒの使用者が、ベッド４２Ｌ側の輻射パネル７２の輻射熱の影響を感じるのが抑制される。
【００５４】
例えば、寝室１０は、間口ＷＬが、壁心でＷＬ＝４５００mmであり、輻射装置７０Ｌの輻射パネル７２のグリル７４と輻射装置７０Ｒの輻射パネル７２のグリル７４との間隔ＷＰが、ＷＰ＝３８００mm、ベッド４２Ｌ及びベッド４２Ｒの幅寸法ＷＢが、ＷＢ＝１０００mmであるとき、ベッド４２Ｌとベッド４２Ｒとの間隔ＷＤが、ＷＤ＝８００mmであれば、間隔ｘ１＝１０００mmとなるので、受熱量の比ａは、
ａ＝（ｘ１）２／（ｘ１＋ｘ２）２
＝（１０００／（１０００＋１８００））２
＝０．１２７＜０．２
となる。
【００５５】
これにより、輻射パネル７２とベッド４２Ｌ（ベッド４２Ｌの輻射パネル７２側の端部まで）との距離を５００mmとすることで、受熱量の比ａを０．２以下とすることができる。即ち、ベッド４２Ｌ、４２Ｒの各々を対応する輻射パネル７２から５００mmだけ空けて配置することで、ベッド４２Ｌ、４２Ｒの各々の使用者に温調の不足感や効き過ぎ感が生じるのを抑えることができる。
【００５６】
また、ベッド４２Ｌとベッド４２Ｒとの間隔ＷＤが、ＷＤ＝５００mmであれば、間隔ｘ１＝１１５０mmとなるので、受熱量の比ａは、
ａ＝（ｘ１）２／（ｘ１＋ｘ２）２
＝（１１５０／（１１５０＋１５００））２
＝０．１８８＜０．２
となり、輻射パネル７２とベッド４２Ｌとの距離を６５０mmとしても、受熱量の比ａが０．２以下となる。
【００５７】
即ち、図４に示す寝室１０においては、ベッド４２Ｌ、４２Ｒの間隔ＷＤを、５００mm以上とすることで、ベッド４２Ｌ又はベッド４２Ｒの一方に対応して設けている輻射パネル７２の輻射熱が、ベッド４２Ｌ又はベッド４２Ｒの他方の使用者に温調の不足感や効き過ぎ感を生じさせてしまうのを抑えることができる。なお、上述した演算は、説明を簡略化するために、平面上での間隔ｘ１、ｘ２のみを用いている。
【００５８】
一方、輻射装置７０Ｌは、輻射パネル７２からベッド４２Ｒの中心位置ＢＣＬへ向けて輻射熱が放出されるが、輻射パネル７２が壁１８に配置されていることで、壁１４へ向けても輻射熱が放出される。ここで、輻射パネル７２からベッド４２Ｌへ向けた輻射熱の放出方向に沿う線を線ＬＬとすると、線ＬＬ上への吹き出し口６６Ｌの投影位置は、点Ｓｃを中心として点Ｓ１〜点Ｓ２の範囲となっている。即ち、寝室１０では、線ＬＬ上への点Ｓ１〜点Ｓ２の範囲が、ベッド４２Ｌの中心位置ＢＣＬに対して、輻射装置７０Ｌの輻射パネル７２と反対側となっている。これにより、寝室１０では、吹き出し口６６Ｌから吹き出される空調風が、輻射パネル７２から放出される輻射熱の影響を受けるのが抑制されている。
【００５９】
また、図４に示す寝室１０は、一例として、奥行きＤＬが、壁心でＤＬ＝３５００mmとされている。ここで、吹き出し口６６Ｌの中心ＧＣと、吹き出し口６６Ｌに最も近い輻射パネル７２Ｂ（就寝時に輻射パネル７２Ｃの動作を停止させるため）のグリル７４の中心位置ＰＣとの距離をＬＧとする。また、輻射パネル７２Ｂのグリル７４とベッド４２Ｌ上の中心位置ＢＣＬまでの距離を距離ＬＢとする。
【００６０】
距離ＬＧの高さ方向の成分である吹き出し口６６Ｌの中心ＧＣと輻射パネル７２Ｂのグリル７４の中心ＧＣの上端との間の高低差を高さＨＧ、距離ＬＧの高さ方向の成分である輻射パネル７２Ｂのグリル７４の中心ＧＣの上端とベッド４２Ｌの上面との間の高低差を高さＨＢとする（図２（Ａ）参照）。また、距離ＬＧの間口方向の成分を距離ＷＧ、距離ＬＧの奥行き方向の成分を距離ＤＧとし、距離ＬＢの間口方向の成分を間隔ｘ１とする（距離ＬＢの奥行き方向の成分は０）。
【００６１】
この場合、距離ＬＧ及び距離ＬＢは、
ＬＧ＝（ＷＧ２＋ＤＧ２＋ＨＧ２）１／２
ＬＢ＝（ｘ１２＋ＨＢ２）１／２
として表される。
【００６２】
また、輻射パネル７２Ｂから放出される輻射熱に対するベッド４２Ｌの中心位置ＢＣＬと、吹き出し口６６Ｌとの受熱量の比ｂは、
ｂ＝ＬＧ２／ＬＢ２
として表される。
【００６３】
ここで、輻射パネル７２とベッド４２Ｌとの間隔を５００ｍｍとすると、間隔ｘ１は、１０００mm（ｘ１＝１０００mm）となる。また、図１、図２（Ａ）、及び図４から、高さＨＢ＝２００mm、高さＨＧ＝２００mm、距離ＷＧ＝１３００mm、距離ＤＧ＝１６００mmとなっている場合、受熱量の比ｂは、
ｂ＝０．１９５＜０．２
となる。これにより、寝室１０では、輻射装置７０Ｌの輻射パネル７２の輻射熱が、吹き出し口６６Ｌから吹き出される空調風に影響を与えて、寝室１０内の温調状態を変化させてしまうのを抑制することができる。
【００６４】
従って、寝室１０は、ベッド４２Ｌに対して設けている輻射装置７０Ｌの輻射パネル７２から放出された輻射熱に対して、ベッド４２Ｌにおける受熱量とベッド４２Ｒにおける受熱量との比ａが、０．２以下とされていることで、ベッド４２Ｒの使用者に温調の不足感や効き過ぎ感が生じるのを抑えることができる。寝室１０は、同様に、ベッド４２Ｒに対して設けている輻射装置７０Ｒの輻射パネル７２から放出された輻射熱に対して、ベッド４２Ｒにおける受熱量とベッド４２Ｌにおける受熱量との比ａが、０．２以下とされていることで、ベッド４２Ｌの使用者に温調の不足感や効き過ぎ感が生じるのを抑えることができる。
【００６５】
また、寝室１０は、輻射パネル７２の輻射熱の放出方向に沿う輻射パネル７２、ベッド４２及び吹き出し口６６の投影位置が、輻射パネル７２、ベッド４２、吹き出し口６６の順となっているので、輻射パネル７２から放出される輻射熱が、吹き出し口６６Ｌの空調風の影響を受けるのが抑制される。
【００６６】
さらに、寝室１０は、輻射パネル７２から放出された輻射熱に対して、ベッド４２（４２Ｌ、４２Ｒ）における受熱量と、吹き出し口６６（６６Ｌ、６６Ｒ）における受熱量との比ｂが、０．２以下とされていることで、輻射熱が吹き出し口６６Ｌ、６６Ｌから吹き出される空調風の温度に影響を与えてしまうのが抑えられる。
【００６７】
次に、図５及び図６を参照しながら寝室１０における住環境システム１２による就寝環境の制御の一例を説明する。
【００６８】
一般に睡眠は、深い眠りと浅い眠りとが周期的に繰り返される。また、睡眠から目覚める（覚醒する）場合、深い睡眠状態から覚醒した場合に比べ、浅い睡眠状態から覚醒した場合の方が、目覚めが良い。また、照明の光源の色温度は、色温度の高い白色（昼白色又は昼白色より温度の高い昼光色）であると睡眠の妨げとなるが、温度の低い黄色（電球色）であると、落ち着きが得られ、睡眠の妨げとなることが少ない（良く眠れる）。また、就寝時における冷房は、涼しい方が良く眠れ、就寝時における暖房は、寒いと感じられなければ、温度が高い場合より温度が低い場合の方が良く眠れる。
【００６９】
ここから、コントローラ５０は、ベッド４２Ｌに対応する空間３２Ｌ、及びベッド４２Ｒに対応する空間３２Ｒの各々において、睡眠センサ５２Ｌ、５２Ｒにより検出される睡眠状態、及び目覚ましタイマ４８Ｌ、４８Ｒで設定された起床時刻に応じ、照明の明るさ及び光源の色温度を含めた照明制御を行う。
【００７０】
また、寝室１０は、全館を空調する空調装置６４を用いており、コントローラ５０は、空調装置６４に対して直接的な制御を行わず、主に輻射装置７０Ｌ、７０Ｒを用いた個別温調を行う。コントローラ５０は、輻射装置７０Ｌ、７０Ｒにより個別温調を行う際、空間３２Ｌ、３２Ｒの各々において、睡眠センサ５２Ｌ、５２Ｒにより検出される睡眠状態、及び目覚ましタイマ４８Ｌ、４８Ｒで設定された起床時刻に応じて温調制御を行う。
【００７１】
また、寝室１０は、ベッド４２Ｌを対象とした温調に用いる輻射パネル７２の輻射熱が、ベッド４２Ｒに就寝している使用者に輻射熱の影響を感じさせないようにレイアウトされている。ここから、コントローラ５０は、例えば、ベッド４２Ｒに使用者が就寝している状態で、ベッド４２Ｌに就寝している使用者の睡眠状態に応じた制御を行う際、照明制御を変更するようにしている。
【００７２】
図５（Ｂ）には、一人の使用者（ベッド４２Ｌ又はベッド４２Ｒの使用者）が就寝している場合における制御パターン（以下、１人用制御パタンと言う）の一例を示している。また、図５（Ａ）には、ベッド４２Ｌ又はベッド４２Ｒの一方に使用者が就寝している場合における、ベッド４２Ｌ又はベッド４２Ｌの他方に就寝している使用者の睡眠状態に応じた制御パターン、即ち、並行睡眠状態における制御パターン（以下、２人用制御パターンと言う）の一例を示している。
【００７３】
コントローラ５０は、ベッド４２への入床前、入床（入床直後で覚醒状態にある場合）、睡眠（入眠直後）、設定された起床時刻に対して予め設定している時間前（例えば、１５分前）までの睡眠維持状態（以下、睡眠継続期間と言う）、起床時刻に対して予め設定している時間から起床時刻までの起床準備状態（以下、起床準備期間と言う）、及び起床時刻以降の起床促進（以下、起床促進期間と言う）に分けて、照明制御及び温調制御を行う。
【００７４】
図６には、コントローラ５０により実行される照明及び温調制御（睡眠環境制御）の一例を示している。このフローチャートは、ベッド４２Ｌが設けられた空間３２Ｌ側と、ベッド４２Ｒが設けられた空間３２Ｒ側の各々で実行される。即ち、本実施の形態では、一例として、コントローラ５０は、空間３２Ｌ側の制御手段、及び空間３２Ｒ側の制御手段として機能する。以下では、空間３２Ｌ側を例に説明し、空間３２Ｒ側の説明を省略する。
【００７５】
このフローチャートでは、最初のステップ１００において対象とする空間３２Ｌ内で使用者を検出すると、ステップ１０２へ移行する。ステップ１０２では、他方の空間３２Ｒで使用者が検出されたか否かを確認する。
【００７６】
ここで、空間３２Ｒ側で使用者が検出されない場合、ステップ１０２で肯定判定してステップ１０４へ移行する。このステップ１０４では、照明装置５４Ｌ、遮光装置６０Ｌ、及び輻射装置７０Ｌに対して、睡眠センサ５２Ｌにより検出された睡眠状態、及び目覚ましタイマ４８Ｌで設定された起床時刻等に基づいた睡眠環境制御を開始する。この制御においては、図５（Ｂ）に示される１人用制御パターンが適用される。
【００７７】
また、空間３２Ｒ側においても使用者が検出された場合、ステップ１０２で否定判定してステップ１０６へ移行する。このステップ１０６では、図５（Ａ）に示される２人用制御パターンを適用して、照明装置５４Ｌ、遮光装置６０Ｌ、及び輻射装置７０Ｌに対し、睡眠センサ５２Ｌにより検出された睡眠状態、及び目覚ましタイマ４８Ｌで設定された起床時刻等に基づいた睡眠環境制御を開始する。
【００７８】
一方、ステップ１０４において１人用制御パターンに基づいた睡眠環境制御が実行されると、ステップ１０８において他方の空間３２Ｒで使用者が検出されたか否かを確認する。また、ステップ１１０では、ベッド４２Ｌに就寝していた使用者が起床したか否かを確認する。ここで、空間３２Ｒで使用者が検出されるとステップ１０８で肯定判定して、ステップ１０４へ移行する。これにより、１人用制御パターンから２人用制御パターンに切り換えられる。
【００７９】
これに対し、ステップ１０６において２人用制御パターンに基づいた睡眠環境制御が実行されると、ステップ１１２において他方の空間３２Ｒで使用者が起床したか否かを確認する。また、ステップ１１４では、対象としているベッド４２Ｌに就寝していた使用者が起床したか否かを確認する。
【００８０】
ここで、空間３２Ｒで使用者（ベッド４２Ｒに就寝していた使用者）が起床すると、ステップ１１２で肯定判定してステップ１０４へ移行する。これにより、２人用制御パターンから１人用制御パターンに切り換えられる。
【００８１】
このようにして、睡眠環境制御を行い、ベッド４２Ｌで就寝していた使用者が起床して、ステップ１１０又はステップ１１４で肯定判定されると、就寝環境制御を終了する。
【００８２】
次に、図５（Ａ）及び図５（Ｂ）を参照しながら、コントローラ５０により実行される２人用制御パターン及び１人用制御パターンを説明する。寝室１０は、全館空調を行う空調装置６４が用いられており、空調装置６４は、「弱」に設定された状態に維持される。
【００８３】
一方、冷房時において、輻射装置７０Ｌは、入床前が任意で動作されるが、睡眠センサ５２Ｌにより使用者がベッド４２Ｌに入った入床が検出されると、「低」に切換られて動作される。この後、使用者の入眠（最初の浅い睡眠状態）が検出されると、「低」での動作が継続されて、睡眠が促進されるようにする。また、入眠直後で最も深い睡眠状態（最深）が検出されると、睡眠状態を浅くするように「中」での動作に切り換えられる。
【００８４】
この後、輻射装置７０Ｌは、睡眠が浅くなると、「中」で動作が継続されるが、使用者の睡眠が深くならない場合（浅い睡眠状態が所定時間継続している場合）、睡眠を促進するように「低」に切り換えられ、睡眠が深くなると「中」に戻される。これにより、ベッド４２Ｌで就寝している使用者は、浅い睡眠状態と深い睡眠状態とが周期的に繰り返される。
【００８５】
また、睡眠維持期間において、使用者が覚醒した場合、輻射装置７０Ｌは、使用者の睡眠を促進するように「中」から「弱」に切り換えられ、また、覚醒した使用者が離床した場合（一次的にベッド４２Ｌから出た場合）、快適な温調感（冷房感）が得られるように、「中」に維持される。
【００８６】
この後、起床時刻に対して予め設定した時間前となると、輻射装置７０Ｌは、使用者の睡眠状態が浅いと、浅い睡眠状態が維持されるように「中」に切り換えられ、使用者の睡眠状態が深いと、睡眠状態が浅くなるように「高」に切り換えられ、睡眠が浅くなると「中」に戻される。この後、使用者の覚醒が検出されると、輻射装置７０Ｌは、「中」に切り換えられ、使用者が離床すると「高」に切り換えられて、起床時に快適な温調感が得られるように動作される。
【００８７】
これに対して、起床時刻に達しても使用者が起床しない場合、コントローラ５０は、目覚ましタイマ４８Ｌのアラームを鳴らすなどして、起床時刻に達したことを報知すると共に、輻射装置７０Ｌの動作を「高」に切り換えて、使用者の起床を促すと共に、起床後において快適な温調感が得られるようにしている。
【００８８】
また、暖房時において、輻射装置７０Ｌは、入床前が任意で動作されるが、使用者がベッド４２Ｌに入った入床が検出されると、「低」に切換られ、入眠してから睡眠維持期間が経過するまで、使用者の睡眠状態が維持されるように、「低」での動作が継続される。
【００８９】
この後、起床時刻に対して予め設定した時間前となると、輻射装置７０Ｌは、使用者の睡眠状態が深いと、使用者が覚醒するように「中」に切り換えら、睡眠が浅くなると、「低」に切り換えられる、使用者の覚醒が検出されると「中」に切り換えられた後、使用者の離床に合わせて「高」に切り換えられ、起床後の使用者に快適な温調感（暖房感）が得られように動作される。
【００９０】
これに対して、起床時刻に達しても使用者が起床しない場合、コントローラ５０は、目覚ましタイマ４８Ｌのアラームを鳴らすなどして、起床時刻に達したことを報知すると共に、輻射装置７０Ｌの動作を「高」に切り換えて、起床を促すようにし、且つ、起床後において快適な温調感が得られるようにしている。
【００９１】
ここで、寝室１０は、ベッド４２Ｌの使用者が快適な温調感が得られるように動作する輻射装置７０Ｌの輻射パネル７２の輻射熱が、ベッド４２Ｒの使用者に影響を与えることがないようされている。これにより、ベッド４２Ｒの使用者は、輻射装置７０Ｌが動作していても、温調の不足感や効き過ぎ感が生じるのが抑制され、快適な睡眠状態が得られる。
【００９２】
一方、コントローラ５０は、ベッド４２Ｌの使用者の入床に合わせて遮光装置６０Ｌを動作させ、カーテン６２により窓３６Ｌを覆う遮光状態を維持する。また、コントローラ５０は、ベッド４２Ｒに使用者が就寝していない場合、起床準備期間に入ったときに、ベッド４２Ｌの使用者の睡眠状態が深いと、遮光装置６０Ｌを動作させてカーテン６２を引き、採光を行う。この後、コントローラ５０は、ベッド４２Ｌの使用者の起床及び離床が検出された際、採光状態であれば、採光状態を継続させ、遮光状態であれば、遮光状態を継続させる。また、コントローラ５０は、起床時刻が経過しても、ベッド４２Ｌの使用者が起床しない場合、採光状態となるように遮光装置６０Ｌを動作させる。
【００９３】
これに対して、コントローラ５０は、隣のベッド４２Ｒに使用者が就寝している場合、起床準備期間でベッド４２Ｌの使用者の眠りが深いと、窓３６Ｌから採光されるように遮光装置６０Ｌを動作させるが、ベッド４２Ｌの使用者が起床すると、遮光するように遮光装置６０Ｌを動作させる。また、起床時刻が経過しても、ベッド４２Ｌの使用者が起床しない場合、コントローラ５０は、遮光するように遮光装置６０Ｌを動作させる。従って、ベッド４２Ｒの使用者は、窓３６Ｌからの採光により睡眠が妨げられるのが抑制される。
【００９４】
一方、コントローラ５０は、ベッド４２Ｌの使用者が検出された際、隣のベッド４２Ｒに使用者が就寝していなければ、照明装置５４Ｌをベッド４２Ｌの使用者の操作に応じた動作状態（照明の明るさ及び色）とする。しかし、隣のベッド４２Ｒに使用者が就寝している場合、コントローラ５０は、例えば、照明器具５６Ｌによる明るさが１００lx（ルクス）程度の減光状態とすると共に光源の色温度を黄色（電球色）とし、周囲を視認可能とすると共に、ベッド４２Ｒの使用者の睡眠を妨げず、且つ睡眠が促進されるようにする。
【００９５】
この後、ベッド４２Ｌの使用者が入床すると、コントローラ５０は、例えば、９lx程度（ろうそくの光程度の明るさ）まで減光し、ベッド４２Ｌの使用者が入眠すると消灯（ＯＦＦ）する。また、コントローラ５０は、睡眠期間中は、基本的に消灯状態とするが、ベッド４２Ｌの使用者の覚醒を検出すると、僅かな明るさ（例えば、９lx程度）で且つ睡眠を促進させる色（黄）で点灯させ、起床を検出した場合、起床した使用者が周囲を視認できる程度（例えば、１００lx程度）に明るくする。
【００９６】
ベッド４２Ｒに使用者が就寝していない状態で起床準備期間に達すると、コントローラ５０は、使用者の眠りが浅いか、眠りが深い状態から浅い状態に移行していれば、消灯状態を維持する。また、コントローラ５０は、使用者が覚醒すると、白色で周囲を視認可能な程度の明るさ（１００lx程度）とし、使用者が起床すると、白色で１０００lx程度まで明るくする。なお、使用者の眠りが深かった場合、コントローラ５０は、白色（昼光色又は昼白色）で、起床時刻に、再度、入眠してしまうことのない明るさ（例えば、１０００lx程度）に達するように。徐々に照明を明るくする。また、コントローラ５０は、起床時刻を経過しても使用者が起床しない場合、白色で明るく（例えば、１０００lx程度）で照明することで使用者の覚醒を促す。
【００９７】
これに対して、ベッド４２Ｒに使用者が就寝している状態で起床準備期間に達すると、コントローラ５０は、ベッド４２Ｌの使用者の眠りが浅いか、眠りが深い状態から浅い状態に移行していれば、消灯状態を維持する。また、コントローラ５０は、ベッド４２Ｌの使用者が覚醒すると、白色ではなく黄色で周囲を視認可能な程度の明るさ（１００lx程度）とし、使用者が起床すると、黄色で１０００lx程度まで明るくする。なお、使用者の眠りが深かった場合、コントローラ５０は、黄色で１００lx程度の明るさで照明器具５６Ｌを点灯させる。また、コントローラ５０は、起床時刻が経過しても使用者が覚醒しなければ、白色ではなく黄色で明るく（例えば、１０００lx程度）なるように照明する。
【００９８】
これにより、コントローラ５０は、隣のベッド４２Ｒに就寝している使用者の睡眠が妨げられるのを抑制しながら、ベッド４２Ｌに就寝していた使用が、確実に、且つ快適に目覚めるようにしている。
【００９９】
また、寝室１０では、照明装置５４（５４Ｌ、５４Ｒ）として間接照明が用いられており、ベッド４２Ｌ側の空間３２Ｌを明るくした場合でも、隣のベッド４２Ｒ側の空間が明るくなるのが抑えられる。また、コントローラ５０は、白色に比べて眠りを妨げ難い黄色（電球色）で照明するので、隣のベッド４２Ｒで就寝している使用者の睡眠を妨げてしまうのを抑えることができる。
【０１００】
このように、寝室１０では、使用者毎の温調を行う輻射装置７０の輻射パネル７２から、該輻射パネル７２が対象としている使用者が受ける受熱量に対して、非対象である他の使用者が受ける受熱量の比が０．２以下とするようにされている。また、寝室１０では、輻射装置７０の輻射パネル７２から対象とする使用者が受ける受熱量に対して、寝室１０の全域を温調する空調装置６４の吹き出し口６６における受熱量の比が０．２以下となるようにしている。
【０１０１】
従って、住環境システム１２が設けられた寝室１０では、ベッド４２Ｌ、４２Ｒの各々の使用者が快適な睡眠状態が得られる。
【０１０２】
なお、以上説明した本実施の形態では、一例として、空調装置６４（全館空調装置）の吹き出し口６６を、壁１４の２箇所に設けて説明したが、空調装置の吹き出し口の数及び位置はこれに限る者ではない。
【０１０３】
図７には、空調装置の吹き出し口の数及び位置の他の一例を示している。図７に示す寝室１０Ａでは、一つの吹き出し口７６が用いられて室内の空調が行われる。寝室１０Ａの吹き出し口７６は、一例として、壁１４Ａの壁際で、扉３４Ｌと扉３４Ｒとの間の床２２に設けている。なお、寝室１０Ａの壁１４Ａでは、扉３４Ｌと扉３４Ｒとの間隔が空けられている。
【０１０４】
この寝室１０Ａでは、ベッド４２Ｌ、４２Ｒの使用者が受ける受熱量に対する吹き出し口７６における受熱量の比ｂが０．２以下となっていることで、輻射装置７０の輻射熱によって、温調状態が変化するのが抑制される。従って、寝室１０Ａでは、ベッド４２Ｌ、４２Ｒの使用者が、輻射装置７０Ｌ、７０Ｒによって快適な睡眠状態が得られるように温調される。
【０１０５】
なお、図７では、吹き出し口７６を壁１４Ａの壁際に設けているが、吹き出し口７６の位置はこれに限るものではない。吹き出し口７６の位置は、ベッド４２Ｌ、４２Ｒの使用者が受ける受熱量に対する吹き出し口７６における受熱量の比ｂが０．２以下となり、且つ、ベッド４２へ向けた輻射パネル７２の輻射熱の放熱方向に沿う線上への投影位置が、ベッド４２（ベッド４２の中心位置）に対して、輻射パネル７２と反対側となる位置であれば、例えば、ベッド４２Ｌとベッド４２Ｒとの間の床２２であっても良い。また、空調装置の吹き出し口は。壁１４、１４Ａや床２２に限らず、天井２４に設けられても良い。
【０１０６】
なお、以上説明した本実施の形態では、空調装置として全館空調を行う空調装置（全館空調装置）６４を用いたが、寝室１０の空調のみを行う空調装置（一般的なエアコン）であっても良い。このような空調装置を用いる場合、寝室１０に１台の空調装置を設置しても良く、また、空間３２Ｌ、３２Ｒの各々に空調装置を設置しても良い。
【０１０７】
さらに、本実施の形態では、居室の一例として寝室１０を適用したが寝室に限らず、居住者が通常時に使用している所謂居間（リビング）や来客の応接用としている応接室等を適用しても良い。
【符号の説明】
【０１０８】
１０、１０Ａ    寝室（建物の居室）
１２    住環境システム
１４、１４Ａ、１６    壁
１８、２０    壁（互いに対向する壁）
２２    床
２４    天井
２８    下がり壁
３０    下がり天井
３２Ｌ、３２Ｒ    空間
３４Ｌ、３４Ｒ    扉
３６Ｌ、３６Ｒ    窓
４２Ｌ、４２Ｒ    ベッド（第１及び第２のベッド、第１及び第２の対象位置）
４８（４８Ｌ、４８Ｒ）    目覚ましタイマ
５０    コントローラ（制御手段）
５２（５２Ｌ、５２Ｒ）    睡眠センサ（第１及び第２の睡眠検出手段）
５４（５４Ｌ、５４Ｒ）    照明装置（第１及び第２の照明手段）
５６Ｌ、５６Ｒ    照明器具（第１及び第２の照明手段）
６０（６０Ｌ、６０Ｒ）    遮光装置
６２    カーテン
６４    空調装置（空調手段）
６６（６６Ｌ、６６Ｒ）、７６    吹き出し口
７０（７０Ｌ、７０Ｒ）    輻射装置（第１及び第２の輻射温調手段）
７２（７２Ａ〜７２Ｃ）    輻射パネル（第１及び第２の輻射温調手段）
【図１】
2017116236.tif 000003
【図２】
2017116236.tif 000004
【図３】
2017116236.tif 000005
【図４】
2017116236.tif 000006
【図５】
2017116236.tif 000007
【図６】
2017116236.tif 000008
【図７】
2017116236.tif 000009